(57)【要約】      （修正有）【課題】地震管制運転復旧作業を短時間で行えるエレベータ地震管制装置の復旧方法の提供。【解決手段】地震の発生で地震感知器８が動作し、乗りかご１を最寄階へ着床させ、エレベータ休止回路を動作させて、運転休止状態にするエレベータ地震管制装置の復旧方法において、復旧作業時に専門技術者１０が現地に到着し、到着階３の乗場ドアを開け昇降路２の目視点検を行った後、専用ツール４操作にて被害状況確認運転を行う第一の手順と、被害状況確認運転の結果、安全装置の動作状態や乗りかご位置の確認を専用ツール４で行うとともに、異常が無ければ地震感知器８のリセットを専用ツール４で行う第二の手順と、地震感知器８のリセット後、専用ツール４の操作にて自動低速を行い点検運転を実施する第三の手順とを行い、この第三の手順にて、異常を検出した際は乗りかご１を停止させ、異常が無い場合は地震管制装置の復旧を行う第四の手順とで構成したものである。【選択図】図１
2007119170.tif 000002
【特許請求の範囲】
【請求項１】
地震の発生で地震感知器が動作し、乗りかごを最寄階へ着床させ、エレベータ休止回路を動作させて、運転休止状態にするエレベータ地震管制装置の復旧方法において、復旧作業時に専門技術者が現地に到着し、到着階の乗場ドアを開け昇降路の目視点検を行った後、前記専用ツール操作にて被害状況確認運転を行う第一の手順と、前記被害状況確認運転の結果、安全装置の動作状態や乗りかご位置の確認を前記専用ツールで行うとともに、異常が無ければ前記地震感知器のリセットを前記専用ツールで行う第二の手順と、前記地震感知器のリセット後、前記専用ツールの操作にて自動低速を行い点検運転を実施しする第三の手順とを行い、この第三の手順にて、異常を検出した際は乗りかごを停止させ、異常が無い場合は地震管制装置の復旧を行う第四の手順とで構成したことを特徴としたエレベータ地震管制装置の復旧方法。
【発明の詳細な説明】
【技術分野】
【０００１】
本発明は、エレベータ地震管制装置の復旧方法に係り、特に地震管制運転により休止状態となったエレベータの復旧作業に好適なエレベータ地震管制装置の復帰方法に関する。
【背景技術】
【０００２】
従来の装置は、特開平６−１７９５８４号公報に記載されているように、昇降路にエレベータ休止回路を短絡する休止解除スイッチと、押している間エレベータの低速運転回路を動作させる押釦スイッチとを設けて、専門技術者が全て手動により地震にて休止しているエレベータの復旧作業を行っていた。
【特許文献１】特開平６−１７９５８４号公報
【発明の開示】
【発明が解決しようとする課題】
【０００３】
従来の技術では、地震発生による復旧作業を専門技術者が全て手動にて行っており、復旧作業するのに手間や時間が掛るという問題があった。
【０００４】
本発明の目的は、地震管制運転復旧作業を短時間で行えるエレベータ地震管制装置の復旧方法を提供することにある。
【課題を解決するための手段】
【０００５】
上記目的を達成するために、本発明は、地震の発生で地震感知器が動作し、乗りかごを最寄階へ着床させ、エレベータ休止回路を動作させて、運転休止状態にするエレベータ地震管制装置の復旧方法において、復旧作業時に専門技術者が現地に到着し、到着階の乗場ドアを開け昇降路の目視点検を行った後、前記専用ツール操作にて被害状況確認運転を行う第一の手順と、前記被害状況確認運転の結果、安全装置の動作状態や乗りかご位置の確認を前記専用ツールで行うとともに、異常が無ければ前記地震感知器のリセットを前記専用ツールで行う第二の手順と、前記地震感知器のリセット後、前記専用ツールの操作にて自動低速を行い点検運転を実施する第三の手順とを行い、この第三の手順にて、異常を検出した際は乗りかごを停止させ、異常が無い場合は地震管制装置の復旧を行う第四の手順とで構成したものである。
【０００６】
このような手順としたので、エレベータ地震管制装置の復旧作業を行うにあたり、機械が行うべき例えば安全確認等の項目は専用ツールにより確認し、専門技術者の確認が必要な項目は専門技術者が行うようになったので、復旧作業は機械室に行くことなく乗場にて行うことができる。
【発明の効果】
【０００７】
本発明によれば、地震管制運転の復旧作業は、機械の確認項目と専門技術者の確認項目に分割されるので、専門技術者の復旧作業時間を短縮できるとともに、復旧時における専門技術者の安全確保が確実に行える。
【発明を実施するための最良の形態】
【０００８】
以下、本発明の一実施形態を図１、図２に基づいて詳細に説明する。
【０００９】
図１は本発明の一実施形態を示すエレベータの地震管制装置の構成図であり、図２は本発明の一実施形態の動作を説明するフローチャートである。
【００１０】
図１において、エレベータの乗りかご１と釣り合いおもり７はエレベータ制御装置５から電動機１２へ走行指令あるいは停止指令を与えることで、任意の階床へ移動されるよう構成されている。
【００１１】
また、電動機１２には階床データを補足するロータリーエンコーダ１１が接続されており電動機１２の回転数より移動距離を計測している。
【００１２】
地震発生時に振動を検知する地震感知器８は信号ケーブルを介して地震管制装置６に接続されている。地震管制装置６にはエレベータ制御装置５から乗りかご１の位置情報や乗りかご１が移動する際に流れる電動機１２の電流値の情報やエレベータヘ設置されている安全装置の動作状態などが常時入力されている。
【００１３】
エレベータ制御装置５には、エレベータの情報読出しや制御指示を行うための専用ツール４を接続する通信ケーブル９が乗場３へ配線されている。
【００１４】
次に、上記のように構成された、本実施形態における地震発生後のエレベータの地震管制運転復帰時の動作について説明する。
【００１５】
地震が発生すると、地震感知器８が動作し、地震感知信号が通信ケーブルを介して地震管制装置６に入力され、地震管制装置６はエレベータ制御装置５へ地震管制信号を出力する。地震管制信号を受けたエレベータ制御装置５から最寄階へ減速、停止するように電動機１２を制御する。
【００１６】
乗りかご１が最寄階へ停止した後に、エレベータ制御装置５は地震感知器８の地震感知信号がリセットされ、さらに専門技術者１０によるエレベータの点検運転が終了するまでエレベータを休止状態に制御するようになっている。
【００１７】
ここで、地震が終息した後、専門技術者１０は地震管制により休止しているエレベータの点検を行い、異常がないことを確認し再び平常運転に復帰させる作業を行わなければならない。
【００１８】
本実施形態においては、専門技術者１０は、まずエレベータの乗場に到着すると（ステップＳ０１）、乗場ドアに設けてある開錠装置に専門技術者だけが所持している錠を用いて乗場ドアを開け昇降路内の目視点検を行う（ステップＳ０２）。ここでは、主に到着階乗場より確認できる範囲で、項目としては、ビットヘの落下物の確認が通常行う項目例である。
【００１９】
次に、エレベータ乗場３にてエレベータ制御装置５と通信を行うために配線されている通信ケーブル９へ専用ツール４を接続し（ステップＳ０３）、接続を完了すると専用ツール４の操作を使って被害状況確認運転を行う（ステップＳ０４）。この被害状況確認運転では、以下に記す項目について確認を行うが、その都度結果を専用ツール４へ表示する。実際の操作例としては、専用ツール４に被害状況確認運転ボタンが表示されているので、このボタンを押すことで被害状況確認運転を開始する。
【００２０】
被害状況確認運転に入ると、自動にてエレベータの安全装置の動作状況を調べ、その際に乗りかご１の停止位置の表示も行う（ステップＳ０５）。
【００２１】
安全装置の動作を確認し（ステップＳ０６）、安全装置が動作している状態ならば乗りかご１は動かすことが出来ないので、専門技術者１０が点検、確認を行う（ステップＳ１０）。
【００２２】
安全装置が動作していなければ、専用ツール４にて地震感知器８のリセットを行う（ステップＦ０７）。
【００２３】
次に、低速自動にて一往復低速運転を行う（ステップＳ０８）。例えば、専門技術者１０が目視にて確認すべき、レールの曲損、エレベータ制御装置５と乗りかご１の通信を行う図示しないテールコードの引っ掛りや、釣り合いおもり７の脱レール等の発生を、乗りかご１を移動させると発生するレールと乗りかご１の摩擦で増加する電動機１２の電流値の計測を行い、平常時より流れる電流値が多いとき（閾値以上のとき）は、上述のテールコードの引っ掛りや釣り合いおもり７の脱レールが発生していると判断し、乗りかご１を停止させることで２次災害を防止する。
【００２４】
また、その他の例として、電動機１２の電流状態による異常検出を挙げたが他にロータリーエンコーダ１１からエレベータ制御装置５への入力異常の検出等の方法がある。
【００２５】
次に、低速自動にて一往復低速運転が終了すると、エレベータに異常がなく復旧可能な状態であると判断し、被害状況の結果を専用ツール４へ表示させ、最終的に専門技術者１０が表示内容を確認し、復旧の可否（ステップＳ０９）を判断しエレベータの復旧を行う。
【００２６】
以上説明したように、本発明によれば地震発生による復旧作業時に専門技術者が確認する項目が少なくなり、復旧作業時間の短縮を図れる。
【００２７】
また、復旧作業を機械室に移動せず乗場にて行うことができ、専用ツール４にて安全を確認してから専門技術者が確認するようになるので、作業時の安全性が向上する。
【図面の簡単な説明】
【００２８】
【図１】本発明に係るエレベータの地震管制装置の構成を示す図である。
【図２】本究明の一実施形態の動作を説明するフローチャートである。
【符号の説明】
【００２９】
１  乗かご
２  昇降路
３  乗場
４  専用ツール
５  エレベータ制御装置
６  地震管制装置
７  釣り合いおもり
８  地震感知器
９  通信ケーブル
１０  専門技術者
１１  ロータリーエンコーダ
１２  電動機
【図１】
2007119170.tif 000003
【図２】
2007119170.tif 000004